(57)【要約】【課題】帽体帽子の製作に必要なコストおよび技能をできるだけ軽減する。【解決手段】帽体帽子の製造において、本発明の帽体の形つけ用具は、帽体のサイズ元を絞縮可能な長さを有する紐体と、金属または耐熱性を有する合成樹脂からなり、上縁を輪状に連結する一方、その下方を周方向等間隔に設けた先細りのスリットにより複数の垂れ片に分割すると共に、この垂れ片の下縁に前記紐体の挿通部を一体的に設けてなるスカート体とからなる。また、帽体の固定用具は、帽体のブリムエッジを絞縮可能な長さを有する紐体と、金属または耐熱性を有する合成樹脂からなり、長手方向に適宜間隔で前記紐体の挿通部を一体的に設けた帯体とからなる。【選択図】図１
2010236173.tif 000002
【特許請求の範囲】
【請求項１】
帽体のサイズ元を絞縮可能な長さを有する紐体と、金属または耐熱性を有する合成樹脂からなり、上縁を輪状に連結する一方、その下方を周方向等間隔に設けた先細りのスリットにより複数の垂れ片に分割すると共に、この垂れ片の下縁に前記紐体の挿通部を一体的に設けてなるスカート体とからなることを特徴とした帽体の形つけ用具。
【請求項２】
帽体のブリムエッジを絞縮可能な長さを有する紐体と、金属または耐熱性を有する合成樹脂からなり、長手方向に適宜間隔で前記紐体の挿通部を一体的に設けた帯体とからなることを特徴とした帽体の固定用具。
【発明の詳細な説明】
【技術分野】
【０００１】
この発明は、帽体帽子を製作するにあたり、帽体を型入れして形つけ作業や帽体の固定作業を容易に行うための製帽補助具に関するものである。
【背景技術】
【０００２】
帽子を製作する方法には、型紙を基に裁断した幾つかの生地を縫い合わせて帽子の形に立体的に仕立てる方法の他、予め帽子の基本型（釣り鐘型やキャプリーヌ型等）に立体成形された半製品である帽体を木型を用いて成形する方法がある（例えば、非特許文献１を参照）。なお、こうした製帽方法の違いによって、前者方法の帽子を布帽子、後者方法の帽子を帽体帽子と呼ぶことがある。
【０００３】
本発明が属する後者技術について、その代表例としてフェルト帽の製作手順を概説すると、先ず製作しようとする帽体帽子のデザインに応じた帽体および木型を選び、帽体にスチームをあてて熱いうちに木型に冠せ（型入れ）、サイズ元やブリムエッジをロープやコードなどの紐体で縛って帽体を木型に固定した後（紐かけ）、帽体に再度スチームをあてて引き延ばすことで帽体全体を木型になじませ、生地の縮絨性によりクラウンおよびブリムのフォルム出しを行い（形つけ）、最後に、ブリムエッジのトリミングや必要な装飾を施して（仕上げ）、帽体帽子を完成させるものである。
【先行技術文献】
【非特許文献】
【０００４】
【非特許文献１】「文化ファッション大系  ファッション工芸講座１  帽子  基礎編」文化服装学院編、文化服装学院教科書出版部発行、文化出版局発売、２００４年４月１日、第１版第１刷
【発明の概要】
【発明が解決しようとする課題】
【０００５】
上述した従来の帽体帽子の製作に用いる木型は、近年、良質な木材が不足していることに加えて、木型を作る職人が減っていることにより、入手そのものが困難な状況にある。そして、この木型の入手難が、帽体帽子の商品価格を高騰化させる要因になっているだけでなく、趣味等の個人レベルで帽体帽子を製作する妨げにもなっている。
【０００６】
また、技術的な課題として、従来の木型ではデザインの変更が行い難いという問題がある。即ち、木型はクラウンに相当する頭型とブリムに相当する鍔型とによって構成され、その組み合わせにより種々の帽体帽子が製作可能であるが、当該組み合わせによるデザイン変更の範囲は極めて限定的であり、例えば、帽体帽子の基本型の一つであるキャプリーヌについて、クラウンの高さだけを変更するといったことには対応できない。したがって、このような場合、所望する高さの頭型を別途用意するか、チップと呼ばれる石膏型を用いなければならない。つまり、従来技術によれば、帽体帽子の全体的基調が同じであるにもかかわらず、クラウンの高さ調整という微細な変更のために、さらなるコストが発生し、手軽さに欠けるという課題があった。
【０００７】
さらに、従来の製帽方法では、帽体を木型に固定する際、ロープなどの紐体を使用する。これは、紐体の柔軟性によって様々なデザインのサイズ元やブリムエッジに対応するからであるが、この性質の裏返しとして、ロープ等には腰がなくテンションをかけるまでは形態が安定しないため、予定のライン通りに巻き付けることが難しく、しかも、この巻き付け作業は型入れした帽体をある程度引き延ばしながら行うものであるから、一連の固定作業には経験や技量が必要であった。
【０００８】
さらにまた、帽体帽子の製作上、最も重要な形つけ作業においても、帽体を手作業だけで木型に均等になじませるのには相当な技術を要する。その上、この形つけ作業は帽体が熱いうちに行わなければならないという時間的な制約もあるため、均質な製品を安定して供給するには、より熟練した技術が要求されていた。
【０００９】
要するに、上述した従来技術は、いわば古来からの伝統的製法を貫くあまり、その作業全てにおいて改善が立ち後れ、この結果、コスト面と技術面の双方で帽子製作者に大きな負担が強いられている。
【００１０】
こうした従来の課題に鑑み、本発明の目的とするところは、帽体帽子の製作に必要なコストおよび技能をできるだけ軽減することにある。即ち、熟練を要せずとも手軽に帽体の固定や形つけ作業を行うことができる製帽補助具を提供する。
【課題を解決するための手段】
【００１１】
上述した目的を達成するために本発明では、帽体の特にクラウンの形つけ作業を容易に行う製帽補助具として、帽体のサイズ元を絞縮可能な長さを有する紐体と、金属または耐熱性を有する合成樹脂からなり、上縁を輪状に連結する一方、その下方を周方向等間隔に設けた先細りのスリットにより複数の垂れ片に分割すると共に、この垂れ片の下縁に前記紐体の挿通部を一体的に設けてなるスカート体とからなる帽体の形つけ用具を用いることとした。
【００１２】
また、鍔型に対する帽体の固定作業を容易に行う別の製帽補助具として、帽体のブリムエッジを絞縮可能な長さを有する紐体と、金属または耐熱性を有する合成樹脂からなり、長手方向に適宜間隔で前記紐体の挿通部を一体的に設けた帯体とからなる帽体の固定用具を用いることとした。
【発明の効果】
【００１３】
このように本発明の形つけ用具によれば、帽体のクラウンサイドを囲繞可能なスカート体を紐体によって絞縮するように構成し、これを加熱した帽体に嵌入するのみで形つけ作業を完了させることができるため、サイズ元をロープで縛り、加熱しながら帽体を引き下げるといった従来方法に比べて、熟練を要せず、誰でも簡単に当該作業を行うことができる。
【００１４】
一方、本発明の帽体の固定用具によれば、紐体を金属製または耐熱性合成樹脂製により成形される帯体でサポートするようにしたので、帽体を固定する際のライン取りが極めて容易に行うことができる。
【図面の簡単な説明】
【００１５】
【図１】本発明の製帽補助具を適用する製帽装置の一実施形態を示した分解斜視図
【図２】同装置の頭型を鍔型に取り付けた状態を示した半裁断面図
【図３】本発明に係る帽体の形つけ用具の一実施形態を示した斜視図
【図４】本発明に係る帽体の固定用具の一実施形態を示した説明図
【発明を実施するための形態】
【００１６】
以下、本発明の好ましい実施の形態を添付した図面に従って説明する。図１は、本発明の製帽補助具を適用する帽体帽子の製帽装置に関し、その一実施形態を示した分解斜視図である。この図において、１はアルミ板などの金属板を釣り鐘状に成形した頭型、２は同じく金属板を円錐台状に成形し、その上面開口２ａから頭型１の下部を上下スライド可能に挿入する鍔型、３は鍔型２を上乗せ固定する金属製の台座である。頭型１および鍔型２は、製作しようとする帽体帽子のクラウンおよびブリムのデザインに応じた形状に成形される金型であって、この実施形態ではクロッシュと呼ばれるデザインの帽体帽子を製作することができる。
【００１７】
さらに頭型１および鍔型２の構造を詳説すると、頭型１は上述のように釣り鐘状、即ち内部を空洞とした中空のドーム状に成形し、鍔型２に対する挿入部周壁の対向する２箇所に上下方向の長孔状のビス穴１ａを設けている。
【００１８】
一方、鍔型２は、上周縁をサイズ元、下周縁をブリムエッジとした円錐台状に成形され、その上面開口２ａには、内部に向かって頭型１の挿入部を挿通してスライド可能に支持するスリーブ２ｂを一体的に垂設している。また、このスリーブ２ｂの周壁には、図２に示したように、上述した頭型１のビス穴１ａと対応する２箇所にビス穴２ｃを設けており、これらビス穴１ａ・２ｃを通じて各周壁をビス止めすることで頭型１を鍔型２に固定するようにしている。そして、この構成によれば、頭型１に設けた長孔状のビス穴１ａの長さに応じた範囲で頭型１の高さを調整することができるから、頭型１を変えることなくクラウンの高さが異なる帽体帽子を製作することができる。
【００１９】
さらに、この実施形態では、図２からも明らかなように、頭型１の挿入部と鍔型２のスリーブ２ｂの双方に、上述したビス止めの際、互いに噛合可能な歯形１ｂ・２ｄを頭型１のスライド長に応じた上下一定範囲で複数列設けている。したがって、頭型１の挿入部と鍔型２のスリーブ２ｂの機械的係合により、ビス止め単独のときよりも両者１・２をガタつきなく強固に連結することができ、安定した作業を行いうる。
【００２０】
なお、頭型１や鍔型２の成形方法は、金属板をプレス加工して大まかな形状を付与し、その後、切削・研磨するなどして細部を調整する方法が該当するが、これに限らず、帽体帽子のデザインを一定精度をもって復元することを条件に、従来の金属加工方法を利用することができる。また、この実施形態では、頭型１のほうに長孔状のビス穴１ａを設けることしたが、鍔型２のスリーブ２ｂのビス穴２ｃを長孔状にしてもよいし、両者とも長孔状とすることも本発明の範囲に含む。
【００２１】
次に、台座３について説明すると、この台座３は上述のように鍔型２を上乗せ固定するもので、帽体帽子を製作する際のいわば作業台として機能する。したがって、両者が安定するものであれば、特段、両者を固定する手段は限定されないが、多種の鍔型２に対応するという観点から、好ましい構成例を図１にしたがって説明すると、先ず鍔型２の下周縁の前後左右４箇所には、鉤を上向きとしたフック２ｅをそれぞれ設けている。これに対して、台座３は上周縁によって鍔型２を内部から下支え可能な形状、即ち、この実施形態の場合、金属板を中空のすり鉢状に成形してなり、さらに台座３の上周縁の４箇所には、上下に開閉するヒンジ３ａの一端を固着している。また、このヒンジ３ａはバネ等によって外開き（下向き）の方向に付勢している。さらに、このヒンジ３ａの他端（先端側）には、スプリングを輪状とするなどして成形した伸縮リング３ｂを設けて、この伸縮リング３ｂを鍔型２のフック２ｅに係止可能としている。
【００２２】
このように鍔型２と台座３を構成したので、鍔型２を台座３に上乗せした後、４箇所全ての伸縮リング３ｂをフック２ｅに係止することで、鍔型２を台座３にガタつきなく上乗せでき、しかも、伸縮リング３ｂの弾性的収縮力によって鍔型２に引き下げる力が作用するため、上乗せした鍔型２を強固に台座３に固定することができる。また、この実施形態の鍔型２はブリムエッジ（下周縁）が円形であるのに対して、これが例えばウエスタン（カーボーイハット）のような流線型を描く場合は、各部のフック２ｅの位置も異なってくるが、このような場合でも伸縮リング３ｂの伸縮性によってフック２ｅの変位量を吸収することができる。さらに、本実施形態では、伸縮リング３を上下に開閉するヒンジ３ａの先端に設けたため、ヒンジ３ａの開閉量によっても、上述したフック２ｅの変位量を吸収することができる。このとき、ヒンジ３ａは外開き方向に付勢されているため、伸縮リング３ｂの上記弾性的収縮力との相乗効果により、鍔型２をより強固に、且つ、確実に台座３に固定することができる。このように本実施形態では、ヒンジ３ａが伸縮リング３ｂの関節のように機能して、伸縮リング３ｂの指向性に柔軟性を付与し、しかも、常に鍔型２を引き下げる方向に付勢するため、この台座３一つで多種多様の鍔型に対応することが可能である。
【００２３】
さらに、この実施形態の製帽装置では、台座３に鍔型２のスリーブ２ｂを介して頭型１の内部空洞に臨む熱源３ｃを内蔵したので、この熱源３ｃによって頭型１および鍔型２を加熱することができる。このように頭型１および鍔型２を直接加熱することで、その伝熱を利用して帽体を熱することができるため、帽体の形つけ作業時に別途加熱手段を必要とせず、落ち着いて当該作業を進めることができる。また、熱源３ｃとしてサーモスタット付きの電気式ヒータを用いれば、温度管理も容易に行うことができる。
【００２４】
続いて、本発明の製帽補助具に係る実施形態を説明する。図３は、形つけ用具の実施形態を示したものであり、頭型１に型入れした帽体Ｂのクラウンを形つけするためのものである。その構造は、帽体Ｂにクラウンサイドを囲繞して嵌入可能な筒状のスカート体４を金属または耐熱性合成樹脂によって成形し、上縁を輪状に連結したまま、その胴周を下縁に向かって等間隔に設けた先細りのスリット５によって複数の垂れ片５ａに分割したものである。また、垂れ片５ａの下端には、外巻き成形によって挿通部５ｂが設けられ、ここに帽体のサイズ元を絞縮可能な長さの紐体６を挿通している。なお、７はスカート体４の上縁に設けた取っ手である。
【００２５】
この形つけ用具によれば、型入れ後、温めた帽体Ｂに嵌入し、必要に応じて紐体６を絞縮することで、スカート体４の内面を帽体Ｂ表面に密着させながら、その下縁を帽体Ｂのサイズ元まで押し下げることで、帽体Ｂを均等に引き下げながら形つけ作業を行うことできる。したがって、従来のように形態が安定しないロープを用いてエッジ元を縛るような形つけ方法によりも熟練や特別な技能を要せず簡単に形つけ作業を行うことができる。また、この形つけ用具と上述した製帽装置を併用すれば、帽体Ｂの加熱も台座３の熱源３ｃによって制御することができるから、従来のように、帽体Ｂを手作業で加熱するといった手間が省けると共に、低コストで帽体帽子を製作することが可能となる。なお、スリット５は先細りとすることで、各垂れ片５ａは下に向かって幅が狭まる形状となる。この構成によれば、紐体６の絞縮することでスカート体４の内径を下に向かって絞り込むことができるため、形つけ前に裾拡がりにある帽体Ｂを頭型１に確実になじませることができる。
【００２６】
他方、図４は帽体を鍔型に固定するための製帽補助具に関する実施形態を示したもので、ブリムエッジに沿って変形可能な可撓性帯体８の上下に一対の羽根８ａを長手方向等間隔で一体的に配列すると共に、この上下の羽根８ａを内巻きに成形した挿通部９に、帽体のブリムエッジを絞縮可能な長さの紐体１０を挿通してなるものである。なお、挿通部９付きの帯体７は金属または耐熱性合成樹脂を素材として成形することができる。
【００２７】
そして、この帽体の固定用具によれば、ある程度ブリムエッジに応じた形状に変形することができるから、全く腰がなく形態を安定させ難いロープを用いるよりも、極めて簡単に帽体を固定することができる。なお、この固定用具を使用する際、鍔型に図２に示したブリムエッジ溝が形成されているときは、帽体の上からこの溝に固定用具を嵌め込むように巻掛け、紐体１０を絞縮することで、帽体を容易に、且つ、しっかりと鍔型に固定することができる。
【符号の説明】
【００２８】
１  頭型
２  鍔型
３  台座
４  スカート体
５  スリット
６  紐体
７  取っ手
８  帯体
９  挿通部
１０  紐体
【図１】
2010236173.tif 000003
【図２】
2010236173.tif 000004
【図３】
2010236173.tif 000005
【図４】
2010236173.tif 000006